(57)【要約】【課題】  表示パネルとフレキシブル回路基板の接続部の防湿性を向上させ、透湿による異方性導電材の剥離を防止し、水分によってパネル端子に電位差による電食が生じることを防止する。【解決手段】  フレキシブル回路基板１０の接続部の反接続面における、少なくとも電極端子１２ａが配列されている領域に水分遮断層１８を形成する。【選択図】      図１
2005338589.tif 000002
【特許請求の範囲】
【請求項１】
表示パネルのパネル端子とフレキシブル回路基板の電極端子とが異方性導電材を介して接続され、この接続部の周縁部位および前記パネル端子の露出部位が防湿性樹脂により被覆されている表示パネルのフレキシブル回路基板接続構造において、
前記フレキシブル回路基板の前記接続部の反接続面における、少なくとも前記電極端子が配列されている領域に水分遮断層が配設されていることを特徴とする表示パネルのフレキシブル回路基板接続構造。
【請求項２】
前記水分遮断層が、前記パネル端子の露出部位上に前記防湿性樹脂を介して配設されていることを特徴とする請求項１に記載の表示パネルのフレキシブル回路基板接続構造。
【請求項３】
表示パネルの複数のパネル端子とフレキシブル回路基板の複数の電極端子とが異方性導電材を介して接続され、この接続部の周縁部位および前記パネル端子の露出部位が防湿性樹脂により被覆されている表示パネルのフレキシブル回路基板接続構造において、
前記フレキシブル回路基板の各電極端子間のフィルム基材の表面に、非導電性の水分遮断層が配設されていることを特徴とする表示パネルのフレキシブル回路基板接続構造。
【請求項４】
前記パネル端子の露出部位上に前記防湿性樹脂を介して第２の水分遮断層が配設されていることを特徴とする請求項３に記載の表示パネルのフレキシブル回路基板接続構造。
【発明の詳細な説明】
【技術分野】
【０００１】
本発明は表示パネルのフレキシブル回路基板接続構造に係り、特に、表示パネルにフレキシブル回路基板が異方性導電材を介して接続されている表示パネルのフレキシブル回路基板接続構造に関する。
【背景技術】
【０００２】
従来から、液晶パネル、プラズマディスプレイ、有機ＥＬ（Electro Luminescence）パネルといった表示装置において、異方性導電材により接続された表示パネルのパネル端子とフレキシブル回路基板の電極端子との接続部の周縁部位および前記パネル端子の露出部位に、透湿による電食を防止する目的で防湿性樹脂を塗布していた。
【０００３】
このような従来の表示パネルの一例としてのプラズマディスプレイパネルには、ガラス基板などの透明な前面側の基板上に、ストライプ状の複数列のＩＴＯからなる表示電極と、その電極群を覆う誘電体層と、保護膜とが順に形成されている。
【０００４】
また、前記前面側の基板に対向配置される背面側の基板上には、前記表示電極と交差するストライプ状の複数列のＩＴＯからなるアドレス電極と、このアドレス電極を覆うオーバーコート層とが順に形成されている。なお、前記各アドレス電極間のオーバーコート層上には、前記各アドレス電極と平行に複数の隔壁がそれぞれ配置されており、各隔壁間の側面および前記オーバーコート層の表面には蛍光体層が設けられている。
【０００５】
前記両基板は、前記表示電極と前記アドレス電極とがほぼ直交するように、微小な放電空間を挟んで対向配置されるとともに、周囲が封着材により封止され、そして前記放電空間には放電ガスが封入されている。また、前記放電空間は、前記隔壁によって複数の区画に仕切られることにより、前記表示電極と前記アドレス電極との交点の位置に複数の放電セルが設けられている。
【０００６】
そして、前記表示パネルの前記前面板側の基板および前記背面側の基板はほぼ矩形状であり、長辺と短辺を有し、前記前面側の基板の短辺であって封着材より外側の縁部には、パネル端子が形成されている。そして、このパネル端子の外端部にフレキシブル回路基板の電極端子が異方性導電材を介して接続されるようになっている。
【０００７】
また、前記背面側の基板の長辺であって封着材より外側の縁部には、前記背面側の基板のアドレス電極から延設されるパネル端子が形成されている。
【０００８】
そして、前記各基板のパネル端子とフレキシブル回路基板の電極端子とを接続している前記異方性導電材には吸湿性があり、またパネル端子にはフレキシブル回路基板が接続されずに前記パネル端子が露出した状態となる部位があるため、前記パネル端子の露出した箇所を光硬化性樹脂、熱硬化性樹脂、熱可塑性樹脂などの防湿性樹脂により被覆していた。
【０００９】
このため、雰囲気中の水分が侵入してパネル端子が電食してしまうことを防止して、接続の信頼性を確保することができる（例えば、特許文献１参照）。
【００１０】
【特許文献１】特開２００４−９６３８７号公報
【発明の開示】
【発明が解決しようとする課題】
【００１１】
しかしながら、前述したような従来の表示パネルのフレキシブル回路基板接続構造においては、表示パネルのパネル端子の露出した箇所に被覆される防湿性樹脂として、一般的にエポキシ系の防湿性樹脂などが用いられており、このエポキシ系の防湿性樹脂は、水分が全く浸透しない材料ではなく、水分が単に浸透しにくい材料であるため、ある程度の時間が経過すると各パネル端子上まで水分が浸透してしまうという問題があった。
【００１２】
また、表示パネルのパネル端子に接続されるフレキシブル回路基板のフィルム基材はポリイミドにより構成されており、このポリイミドが透湿度が高いため、ポリイミドから透湿された水分が表示パネルとフレキシブル回路基板間に介在する異方性導電材に吸湿されると、吸湿された水分により異方性導電材の剥離が生じ、この異方性導電材の剥離が生じた箇所に水分が溜まり、各パネル端子に電食を生じさせる要因となっていた。
【００１３】
このような点に鑑み、より防湿性を向上させるために防湿性樹脂を厚く形成した場合、防湿性樹脂の厚さにばらつきが生じた易く、収縮応力差が生じて表示パネルに表示むらなどの不具合を引き起こしてしまうことが懸念される。
【００１４】
さらに、近年においては、例えば、６０Ｖなどのような駆動電圧の高い表示パネルや、有機ＥＬパネルのような定電流駆動の表示パネルにおいて、そのパネル端子に異方性導電材を用いてフレキシブル回路基板の電極端子を接続した場合、異方性導電材が吸湿すると電食を引き起こしやすいという問題があった。
【００１５】
そこで、本発明は、表示パネルとフレキシブル回路基板の接続部への防湿性を向上させ、透湿による異方性導電材の剥離を防止し、水分によって各パネル端子に電位差による電食が生じることを防止することのできる表示パネルのフレキシブル回路基板接続構造を提供することを目的とするものである。
【課題を解決するための手段】
【００１６】
前述した目的を達成するため、本発明に係る表示パネルのフレキシブル回路基板接続構造の特徴は、フレキシブル回路基板の接続部の反接続面における、少なくとも電極端子が配列されている領域に水分遮断層が配設されている点にある。
【００１７】
このような構成を採用したことにより、フレキシブル回路基板のフィルム基材を構成するポリイミドに水分が吸湿されてしまうことを防止することができ、フレキシブル回路基板のフィルム基材から異方性導電材へ水分が浸透して異方性導電材に剥離が生じ、表示パネルの各パネル端子に電位差による電食が生じてしまうことを防止することができる。
【００１８】
また、本発明に係る表示パネルのフレキシブル回路基板接続構造の他の特徴は、前記水分遮断層が、パネル端子の露出部位上に塗布された防湿性樹脂を介して配設されている点にある。
【００１９】
このような構成を採用したことにより、フレキシブル回路基板が接続されていない前記パネル端子の露出部位上に塗布された防湿性樹脂に水分が浸透してしまうことを防止することができ、このパネル端子の露出部位における各電極において電食が生じてしまうことを防止することができる。
【００２０】
また、本発明に係る表示パネルのフレキシブル回路基板接続構造の他の特徴は、フレキシブル回路基板の各電極端子間のフィルム基材の表面に、非導電性の水分遮断層が配設されている点にある。
【００２１】
このような構成を採用したことにより、フレキシブル回路基板のフィルム基材を構成するポリイミドに吸湿された水分が、表示パネルとフレキシブル回路基板との間に介在する異方性導電材に浸透することを防止することができるため、異方性導電材に水分が吸湿されることを防止することができ、水分により異方性導電材に剥離が生じ、表示パネルの各パネル端子に電位差による電食が生じてしまうことを防止することができる。
【００２２】
また、本発明に係る表示パネルのフレキシブル回路基板接続構造の他の特徴は、前記パネル端子の露出部位上に前記防湿性樹脂を介して第２の水分遮断層が配設されている点にある。
【００２３】
このような構成を採用したことにより、フレキシブル回路基板が接続されていないパネル端子の露出部位上に塗布された防湿性樹脂に水分が浸透してしまうことを防止することができ、このパネル端子の露出部位において電食が生じてしまうことを防止することができる。
【発明の効果】
【００２４】
本発明の表示パネルのフレキシブル回路基板接続構造によれば、従来のものに比べて表示パネルのパネル端子とフレキシブル回路基板の電極端子部とを接続している異方性導電材に水分が浸透してしまうことを防止することができ、異方性導電材に水分が吸湿されることによって異方性導電材の剥離が生じ、表示パネルのパネル端子に電位差による電食が生じてしまうことを防止することができる。
【００２５】
さらに、フレキシブル回路基板が接続されていないパネル端子の露出部位に配設された防湿性樹脂に水分が浸透してしまうことを防止することができ、このパネル端子の露出部位において電食が生じてしまうことを防止することができる。
【発明を実施するための最良の形態】
【００２６】
以下、図面を用いて本発明に係る表示パネルのフレキシブル回路基板接続構造の実施形態について説明する。なお、本実施形態においては、表示パネルに液晶パネルを使用した場合を一例として説明する。
【００２７】
図１は本発明に係る表示パネルのフレキシブル回路基板接続構造の第１実施形態を示す縦断面図、図２は図１の接続部における横断面図である。
【００２８】
本実施形態における液晶パネル１は、図１に示すように、ガラスなどからなる一対の透明基板２、３が対向して配置されており、前記透明基板３には、前記透明基板２よりも側方に突出した張出部３ａが形成されている。
【００２９】
また、前記各透明基板２、３の対向面にはそれぞれＩＴＯが配設され、各ＩＴＯがフォトリソ法によりストライプ状パターンに形成され、複数本の電極４、５が形成されている。なお、前記各電極５は前記透明基板３の張出部３ａにまで引き出されており、その端部が後述するフレキシブル回路基板１０の電極端子１２ａと接続されるパネル端子５ａとなっている。
【００３０】
さらに、前記各透明基板２、３の反対向面には偏光板（図示せず）がそれぞれ配設されている。
【００３１】
そして、対向する前記各透明基板２、３の電極４、５の周縁部をシール材８により接着し、このシール材８の内側に液晶９を封入することにより液晶パネル１が構成される。なお、前記各電極４、５は、前記シール材８に混合された導電ビーズ（図示せず）により導通された構成であってもよい。
【００３２】
つぎに、本実施形態のフレキシブル回路基板１０は、図１および図２に示すように、ポリイミド樹脂等の絶縁性樹脂からなる可撓性のフィルム基材１１を有し、このフィルム基材１１上に、銅等の導電性素材による所定パターンの複数本の電極１２が形成されている。
【００３３】
前記各電極１２の表面には、前記液晶パネル１と接続される端部を除き絶縁性素材からなるカバーフィルム１３が配設されている。
【００３４】
また、前記各電極１２の露出した表面には、それぞれニッケルメッキ１４および金メッキ１５が順に施されて電極端子１２ａとされている。なお、前記ニッケルメッキ１４および前記金メッキ１５の代わりに錫メッキを施してもよい。
【００３５】
そして、前記液晶パネル１のパネル端子５ａと前記フレキシブル回路基板１０の電極端子１２ａとを対向させ、この対向面に異方性導電材である異方性導電膜（ＡＣＦ）１６を配設して加熱および加圧することにより接続される。
【００３６】
さらに、前記液晶パネル１のパネル端子５ａと前記フレキシブル回路基板１０の電極端子１２ａとが接続されている接続部の周縁部位と、前記液晶パネル１のパネル端子５ａが露出している箇所には、溶剤気散型でアクリル系あるいはエポキシ系の防湿性樹脂１７が配設される。
【００３７】
そして、第１実施形態においては、前記フレキシブル回路基板１０の電極端子１２ａが配列している領域に対向する反接続面側に、板状あるいは膜状の金属やセラミックなどの非透湿性の水分遮断層１８が接着材、好ましくは前記防湿性樹脂１７を介して配設されている。
【００３８】
以上説明した構成からなる本第１実施形態の表示パネルのフレキシブル回路基板接続構造によれば、水分遮断層１８によりフレキシブル回路基板１０の反接続面側からの水分の浸透を防止することができるため、異方性導電膜１６の吸湿を大幅に低減させることができる。このため、フィルム基材１１から異方性導電膜１６に水分が浸透してしまうことを防止することができ、異方性導電膜１６に水分が吸湿されることによりパネル端子５ａ間の異方性導電膜１６に剥離が生じてしまうことを防止し、異方性導電膜１６に剥離が生じて異方性導電膜１６の下方に水分が溜まり、パネル端子５ａに電位差による電食が生じることを防止することができる。
【００３９】
つぎに、本発明に係る表示パネルのフレキシブル回路基板接続構造の第２実施形態について説明する。
【００４０】
図３は本発明に係る表示パネルのフレキシブル回路基板接続構造の第２実施形態を示す縦断面図である。なお、第２実施形態において、液晶パネル、フレキシブル回路基板、異方性導電材および防湿性樹脂は本第１実施形態と同様の構成であるので同一の符号により示す。
【００４１】
第２実施形態の表示パネルのフレキシブル回路基板接続構造においては、図３に示すように、第１実施形態と同様に、液晶パネル１のパネル端子５ａとフレキシブル回路基板１０の電極端子１２ａとが対向され、この対向面に異方性導電膜１６が配設され、加熱および加圧により接続されている。
【００４２】
さらに、第１実施形態と同様に、前記液晶パネル１のパネル端子５ａと前記フレキシブル回路基板１０の電極端子１２ａとが接続されている接続部の周縁部位と、前記液晶パネル１のパネル端子５ａが露出している箇所に、溶剤気散型でアクリル系あるいはエポキシ系の防湿性樹脂１７が配設されている。
【００４３】
そして、第２実施形態においては、前記フレキシブル回路基板１０の電極端子１２ａが配列されている領域に対向する反接続面側から、前記液晶パネル１の透明基板３の基端部に至る範囲に、板状あるいは膜状の金属やセラミックなどの非透湿性の水分遮断層１９が前記防湿性樹脂１７を介して配設されている。
【００４４】
以上説明した構成からなる第２実施形態の表示パネルのフレキシブル回路基板接続構造によれば、水分遮断層１９によりフレキシブル回路基板１０の反接続面側からの水分の浸透と、フレキシブル回路基板１０が接続されていないパネル端子５ａの露出部位上に配設された防湿性樹脂１７への上面からの水分の浸透とを防止することができるとともに、防湿性樹脂１７の露出する面積を小さくすることができるため、防湿性樹脂１７および異方性導電膜１６へ水分が浸透してしまうことを防止することができる。このため、パネル端子５ａ間の異方性導電膜１６に水分が浸透して剥離が生じることを防止することができ、異方性導電膜１６に剥離が生じて水分が溜まり、パネル端子５ａに電位差による電食が生じることを防止することができるとともに、フレキシブル回路基板１０が接続されていない領域において、パネル端子５ａ上に配設された防湿性樹脂１７に水分が浸透して、パネル端子５ａ間に電位差による電食が生じることを防止することができる。
【００４５】
つぎに、本発明に係る表示パネルのフレキシブル回路基板接続構造の第３実施形態について説明する。
【００４６】
図４は本発明に係る表示パネルのフレキシブル回路基板接続構造の第３実施形態を示す横断面図である。なお、第３実施形態において、液晶パネル、フレキシブル回路基板、異方性導電材および防湿性樹脂は第１実施形態および第２実施形態と同様の構成であるので同一の符号により示す。
【００４７】
第３実施形態における表示パネルのフレキシブル回路基板接続構造においては、図４に示すように、フレキシブル回路基板１０の電極端子１２ａ間に、例えば、セラミックなどの非導電性の無機材料からなる非透湿性の水分遮断層２０が配設されている。
【００４８】
そして、液晶パネル１のパネル端子５ａとフレキシブル回路基板１０の電極端子１２ａが対向され、この対向面に異方性導電膜１６が配設され、加熱および加圧により接続され、前記液晶パネル１のパネル端子５ａと前記フレキシブル回路基板１０の電極端子１２ａとが接続されている接続部の周縁部位と、前記液晶パネル１のパネル端子５ａが露出している箇所に、溶剤気散型でアクリル系あるいはエポキシ系の防湿性樹脂１７が配設されている。
【００４９】
以上説明した構成からなる第３実施形態の表示パネルのフレキシブル回路基板接続構造によれば、フレキシブル回路基板１０のフィルム基材１１に吸湿された水分が、水分遮断層２０によりフレキシブル回路基板１０と表示パネル１の間に介在する異方性導電膜１６に浸透してしまうことを防止することができる。このため、異方性導電膜１６に水分が吸湿されることにより異方性導電膜１６に剥離が生じてしまうことを防止し、異方性導電膜１６が剥離した箇所の下方に水分が溜まり、パネル端子５ａ間に電位差による電食が生じることを防止することができる。
【００５０】
さらに、第３実施形態の表示パネルのフレキシブル回路基板接続構造において、前記フレキシブル回路基板１０が接続されていない前記液晶パネル１の張出部３ａに引き出されたパネル端子５ａの部位上であって前記防湿性樹脂１７が配設されている領域に第２の水分遮断層（図示せず）を配設することにより、フレキシブル回路基板１０が接続されていないパネル端子５ａ上の防湿性樹脂１７に水分が浸透してしまうことを防止することができる。このため、フレキシブル回路基板１０が接続されていないパネル端子５ａの部位においても、防湿性樹脂１７に水分が浸透してパネル端子５ａに電食が生じてしまうことを防止することができる。
【００５１】
なお、本発明は、前述した実施形態に限定されるものではなく、必要に応じて種々の変更が可能である。例えば、水分遮断層を、接続部におけるフレキシブル回路基板の反接続面の全面に形成することにより、異方性導電材に水分が浸透することを完全に防止することができ、水分によって異方性導電材に剥離が生じ、表示パネルのパネル端子に電位差による電食が生じることを完全に防止することができる。また、本実施形態においては、一例として表示パネルに液晶パネルを使用しているが、プラズマディスプレイ、有機ＥＬパネルなどの他の表示パネルを使用した場合にも同様の効果を奏することができる。
【図面の簡単な説明】
【００５２】
【図１】本発明に係る表示パネルのフレキシブル回路基板接続構造の第１実施形態を示す縦断面図
【図２】図１の接続部における横断面図
【図３】本発明に係る表示パネルのフレキシブル回路基板接続構造の第２実施形態を示す縦断面図
【図４】本発明に係る表示パネルのフレキシブル回路基板接続構造の第３実施形態を示す横断面図
【符号の説明】
【００５３】
１  液晶パネル
２  透明基板
３  透明基板
４  電極
５  電極
８  シール材
９  液晶
１０  フレキシブル回路基板
１１  フィルム基材
１２  電極
１３  カバーフィルム
１４  ニッケルメッキ
１５  金メッキ
１６  異方性導電膜
１７  防湿性樹脂
１８  水分遮断層
１９  水分遮断層
２０  水分遮断層
【図１】
2005338589.tif 000003
【図２】
2005338589.tif 000004
【図３】
2005338589.tif 000005
【図４】
2005338589.tif 000006